(57)【特許請求の範囲】
【請求項１】
昇降体の昇降路内に、前記昇降体と釣り合いおもりとを連結するロープが巻き掛けられるシーブと、前記シーブを回転駆動させる電動モータと、前記シーブの回転運動を制動するブレーキとを含む巻上機と、を有するエレベーター装置において、
前記巻上機は、第一の開口部を有する第一の平板と、第二の開口部を備える少なくとも一の第二の平板と、を備えており、前記第一の平板と、前記第二の平板は、前記シーブの鉛直上方でかつ一のロープが前記シーブに巻きかけられることにより鉛直方向に配されるロープの間に設けられ、
締結具で前記第一の開口部及び前記第二の開口部を介して面で接合され、
前記第一の開口部または前記第二の開口部の少なくとも一方が、前記面に沿って前記第一の平板と前記第二の平板の少なくとも一方が移動可能なよう、移動方向に長い開口部である、エレベーター装置。
【請求項２】
請求項1記載のエレベーター装置であって、
前記巻上機は、前記第二の平板を、前記第一の平板と挟み込み、前記締結具で固定するための第三の平板を有する、エレベーター装置。
【請求項３】
請求項２記載のエレベーター装置であって、前記第二の平板は、ゴム板であって、前記第二の開口部の周状にディスタンスピースが埋め込まれる、エレベーター装置。
【請求項４】
請求項1ないし３いずれか一の請求項に記載のエレベーター装置であって、
前記第一の平板は、前記巻きかけられるロープ側の端部から鉛直下方向に向けた谷状の形状であって、
前記第二の平板は、前記巻きかけられるロープ側に前記第一の平板に面で接触され、第一の平板の両端それぞれに設けられる、エレベーター装置。
【請求項５】
請求項1ないし３いずれか一の請求項に記載のエレベーター装置であって、
前記第一の平板は、鉛直下方向に谷型の形状を少なくとも一有し、
前記第二の平板は、前記巻きかけられるロープ側で前記第一の平板接触され、第一の平板の両端それぞれに異なる平板が設けられる、エレベーター装置。
【請求項６】
請求項１ないし５いずれか一の請求項に記載のエレベーター装置であって、
前記第一の平板は、前記巻上機の本体により固定される、エレベーター装置。
【発明の詳細な説明】
【技術分野】
【０００１】
本発明は、エレベーター装置に係り、特に、シーブが保護される巻上機を有するエレベーター装置に関する。
【背景技術】
【０００２】
特許文献１には、昇降体の昇降路内に、昇降体と釣り合いおもりとを連結するロープが巻き掛けられるシーブを含む巻上機が開示される。
【先行技術文献】
【特許文献】
【０００３】
【特許文献１】特開２００３−１３７４８７号公報
【発明の概要】
【発明が解決しようとする課題】
【０００４】
エレベーター装置の昇降路内には、保全点検時に作業者が立ち入り作業を行うため、その際にゴミやチリ等が昇降路内を落下する。また主ロープには油が塗布されており、主ロープの摩耗粉を多く含んだ油も落下する。そのような異物がシーブに付着した場合、シーブとロープの間に異物が巻き込まれることでシーブまたはロープが偏摩耗し、シーブまたはロープの早期摩損に繋がる。
【０００５】
そのため、シーブ上部および主ロープ間に平板状の保護板を設置することにより、降路内を落下する異物が直接シーブに付着することを防ぐことができるが、主ロープと保護板の隙間を狭める調整が必要となる。
【０００６】
本発明は、シーブまたはロープの劣化を防ぐエレベーター装置を提供することを目的とする。
【課題を解決するための手段】
【０００７】
少なくとも一の課題を解決するために、本発明の一態様として、昇降体の昇降路内に、昇降体と釣り合いおもりとを連結するロープが巻き掛けられるシーブを含む巻上機と、を有するエレベーター装置において、巻上機のシーブの鉛直上方でかつ一のロープが前記シーブに巻きかけられることにより鉛直方向に配されるロープの間に開口部を有する複数の平板を配置し、少なくとも一つの平板が移動可能とする。
【発明の効果】
【０００８】
本発明の一態様によれば、ロープと保護板間の隙間距離調整を可能としたため、落下物からシーブを保護できる面積を拡大することができる。
【０００９】
他の態様は、後述する発明を実施するための形態で明らかにされる。
【図面の簡単な説明】
【００１０】
【図１】実施形態に係るエレベーター装置の全体構成図である。
【図２】実施形態に係るシーブ保護板を設置した巻上機の正面図である。
【図３】シーブ保護板（変形例）を設置した巻上機の正面図である。
【図４】実施形態に係るシーブ保護板の正面図である。
【図５】シーブ保護板（変形例）の正面図である。
【図６】実施形態に係るシーブ保護板を設置した巻上機の平面図である。
【発明を実施するための形態】
【００１１】
以下、本発明に係るエレベーター装置の実施形態を図に基づいて説明する。
【実施例１】
【００１２】
図１は、実施形態に係るエレベーター装置を示す。エレベーター装置は、建屋に形成された昇降路１内を昇降するかご２及びつり合いおもり３（昇降体）と、かご２及びつり合いおもり３を連結する主ロープ４とを有する。巻上機５は、昇降路１の下部に設置され、主ロープ４を介してかご２及びつり合いおもり３を昇降駆動する。
【００１３】
また巻上機５は、かご２及びつり合いおもり３を吊持する主ロープ４が巻き掛けられるシーブ５aと、シーブ５aを回転駆動する電動モータ５bと、シーブ５aの回転運動を制動するブレーキ５cとを含む。主ロープ４は、シーブに巻きかけられることにより鉛直方向に向けて配置され、かご２及びつり合いおもり３をそれぞれ滑車を介して吊持する。
【００１４】
巻上機５は、シーブ５aの鉛直上方向に保護板６を有する。保護板６は、巻上機５からＹ軸方向に向けて設置され、シーブ５aの鉛直上方向（Ｚ軸方向）で、かつシーブ５ａに巻きかけられる主ロープ４の間(Ｘ軸方向)に配置される。また図６に示すように、保護板６は、保護板取付ボルト６gによって巻上機５の本体に取付けられている。保護板６は、複数の平板により構成され、それらの平板の並行移動により、シーブ５aおよび電動モータ５ｂそれぞれとわずかな隙間をもつように調整可能である。
【００１５】
図２は、シーブ保護板を設置した巻上機の正面図である。保護板６は、シーブ５aの鉛直上方及びシーブ５aに巻き掛けられる主ロープ４の間に、シーブ５a及び主ロープ４それぞれとわずかな隙間をもつように配置されている。この保護板６は、昇降路内の異物がシーブに落下し、付着することを抑制する。シーブ５aに異物が付着した場合、シーブ５aが回転することで異物が主ロープ４に巻き込まれ、シーブ５a及び主ロープ４に偏摩耗が生じる。この異物付着を保護板によって抑制することで、シーブ５a及び主ロープ４の偏摩耗を未然に防ぐことができる。
【００１６】
保護板６は、その鉛直投影面のサイズ及び形状が、主ロープ４、シーブ５a及び電動モータ５bの駆動を阻害しない範囲内で、シーブ５aの上方に設置される。保護板６は、Ｖ字型（谷型）の形状である。保護板６のＶ字型の形状により、保護板６に蓄積された異物はＶ字溝部に集中し、また蓄積した異物が保護板６から転落した場合においても、シーブ５aとの隙間が最も狭い溝部のみから転落するため、シーブ５aへの異物付着が抑制される。かかる構成により、主ロープ４及びシーブ５aの偏摩耗を防ぐことが可能となるため、主ロープ４及びシーブ５aの長寿命化を図ることができる。
【００１７】
保護板６の下端、つまりＶ字板６aの頂点は、シーブ５aとの距離が近いほど異物の落下を防止することができる。
【００１８】
図４は、実施形態に係るシーブ保護板の正面図である。図４は、保護板６を、Ｙ軸方向に投影した図であり、具体的構成を示す。図４の左側は、保護板６の内部構造を示し、右側は、外観図を示す。保護板６は、底面がＶ字溝部を有するＶ字板６ａと、支持プレート６ｃと、それらの間に挟み込まれるゴムシート６ｂ（ゴム板）と、を有する。Ｖ字板６aのゴムシート６ｂを接する面には長穴６ｆを有する。ゴムシート６ｂは、開口部（例えば丸穴）を有し、その丸穴の周にディスタンスピース６eを埋め込んだ弾力性のあるシートである。
【００１９】
支持プレート６cは、開口部（例えば丸穴）を有する。ゴムシート６ｂは、Ｖ字板６aと支持プレート６ｃとでゴムシート６ｂを挟み込まれ、ボルト６ｄ（締結具）で締結され固定している。Ｖ字板６aには長穴６fが空けられており、Ｖ字型を成す平面に沿う方向（４a,4b）で、ゴムシート６b及び支持プレート６cの位置調節が可能となっている。これにより、主ロープ４とゴムシート６bの隙間をギリギリまで狭めるように調整可能となっており、昇降路１内部を落下する異物が、シーブ５aに付着することを防止できる面積を広げることが可能となる。また、主ロープ４とゴムシート６bの隙間を狭めると、ゴムシート６ｂが主ロープ４に接触する可能性もあるが、主ロープ４の動きを阻害しなければよい。
【００２０】
また、ゴムシート６b内部にディスタンスピース６eが埋め込まれているため、ゴムシート６bをボルト６ｄで締めこむ際の圧縮量が一定となる。ディスタンスピースがなくゴムシートをボルトで直接締結し締め上げた場合に比べると、ゴムシート６bの早期劣化を防ぐことができる。これは、ゴムシートをボルトで直接締結し締め上げた場合、ゴムシートに強い圧縮力がかかり続け、ゴムに亀裂、たわみ等が生じやすくなるためである。
【００２１】
またゴムシート６bの位置の調整代を設けることにより、異なるシーブ５aの直径に対して、同一の保護板６を適用することが可能となる。それにより、保護板６の製作コストを削減することもできる。
【００２２】
図６は、実施形態に係るシーブ保護板を設置した巻上機の平面図で、巻き上げ機を鉛直上方（Ｚ軸）からみた図である。Ｖ字板６ａは、シーブ保護板取付ボルト６ｇで巻上機５の本体に固定される。そして、Ｖ字板６ａの両端で、主ロープ４側に長穴６ｆと移動されることにより位置調整されたゴムシート６ｂがボルト６ｄにより固定される。Ｖ字板６ａとゴムシート６ｂにより、シーブの鉛直上方を覆い、シーブへの異物の落下を防ぎシーブが保護される。
【００２３】
次に保護板の変形例を示す。図３は、シーブ保護板（変形例）を設置した巻上機の正面図である。図２との相違は、保護板６は、Ｖ字状であったが、保護板７は、水平である。また、保護板６は、ＸＺ平面において左右対称に、まきかけられるロープのぞれぞれの側にゴムシートと支持プレートを設けた。しかし、図３に示す保護板７は、どちらか一方の側にゴムシート６ｂゴムシート６ｂと支持プレート６ｃが構成され、一方の側の主ロープ４と保護板７とのすき間が狭まるようゴムシート６ｂの位置が調整される。それ以外の水平板７ａに長穴６ｆを有する点やゴムシート６ｂにディスタンスピースが埋め込まれる点は図２や図４と同様である。図２のように、位置調整可能な構成が両方の側にあってもよい。両方の側にあると、水平板７のｘ方向の中心が、シーブ５ａのｘｚ平面上に投影される円の中心にあうように、シーブ保護板取付ボルト６ｇで巻上機５の本体に保護板を固定すればよいため、設置が容易になる。
【００２４】
図５は、シーブ保護板（変形例）の正面図で、Ｙ軸方向に投影した図であり、保護板７の詳細な構成である。図５の左側は、保護板７の内部構造を示し、右側は、外観図を示す。図３との相違は、Ｖ字板の代わりに水平板７aにした点であり他は図４と同様の構成である。ゴムシート６ｂは、図５に示す方向（５a,５ｂ）に長穴６ｆを移動可能でボルト６で締結・固定される。また、図３とはゴムプレートと支持プレートの組合せの個数が異なるが、これは図２や図４の構成同様に二組設けた例を示す。支持プレートとゴムプレートとの構成の組合せが増えると、位置調整がしやすくなる。
【００２５】
つまり、巻上機に取り付けられるＶ字板６aや水平板７aに、異物の落下をより防ぐことができるよう。位置調節可能にする支持プレート、ゴムシートは、少なくとも一組がシーブ５aの鉛直上方及びシーブ５aに巻き掛けられる主ロープ４の間に配置されればよい。かかる構成により、主ロープ４やシーブ５ａへの異物の落下や付着が低減され、主ロープ４及びシーブ５aの偏摩耗を防ぐことが可能となるため、主ロープ４及びシーブ５aの長寿命化を図ることができる。
また、上述の実施例では、保護板のＶ字板６a、水平板７aにはＺ軸方向に壁(６ｈ)が設けてたが、なくてもよい。また、Ｖ字板６ａのＶ字の形状は、Ｕ字状や曲面でもよく、図２の主ロープ４側が高く、遠ざかるにつれ低くなる形状で、保護板６上の異物が、平板６ａやゴムシート６ｂからシーブや主ロープへ落下せずに、平板６ａの中心に集中するような形状であればよい。また、保護板のＶ字板６a、水平板７aの長穴６ｆを有する領域は、曲面でなく平面であり、ゴムシートを面接触し移動可能であればよく、それ以外の領域は曲面であってもよい。
【００２６】
本実施例の態様として以下のような構成でもよい。昇降体の昇降路内に、昇降体の主ロープが巻き掛けられるシーブと、シーブを回転駆動する電動モータと、シーブの回転運動を制動するブレーキとを有する巻上機を設置してなるエレベーター装置において、Ｖ字型を成す保護版をシーブ上部に設置することで、昇降路内を落下する異物がシーブに付着し、シーブとロープの間にはさまり巻き込まれることを防ぐこと。平板の場合は上面全面に異物が溜まりやすいが、本構成により、平板から転落した異物がシーブに付着してしまうことを防ぐ。
【００２７】
また、保護板は、Ｖ字型を成す平面の下部と面接触するようにゴム板を取り付け、平面に長穴を設ることで、平面に対して水平方向に位置調節可能とし、ゴム板内部にディスタンスピースを埋め込むことで、ゴムの圧縮により早期劣化及びたわみを防ぐ。かかる構成によると、異物の堆積を保護板中心部に集中することができるため、異物の転落も、シーブと保護板間の隙間が最も狭い保護板中心部のみにすることができる。また、ロープと保護板間の隙間距離調整を可能としたため、落下物からシーブを保護できる面積を拡大することができる。上述の構成によれば、Ｖ字型を成す保護版を前記シーブ上部に設置することで、昇降路内で落下する異物の堆積を保護板中心部に集中することができるため、異物の転落も、シーブと保護板間の隙間が最も狭い保護板中心部のみにすることができ、また、ロープと保護板間の隙間距離調整を可能としたため、落下物からシーブを保護できる面積を拡大することができる。よってシーブに異物が付着することによって生じるシーブまたはロープの偏摩耗を未然に防ぎ、それによりシーブまたはロープの長寿命化および、サイクルコストの削減を図ることができる。
【符号の説明】
【００２８】
１ 昇降路
２ かご
３ つり合いおもり
４ 主ロープ
５ 巻上機
５aシーブ
５b電動モータ
５cブレーキ
６ シーブ保護板
６a Ｖ字板
６bゴムシート
６c支持プレート
６dボルト
６eディスタンスピース
６f長穴
６ｇシーブ保護板取付ボルト
７ シーブ保護板
７a水平板
【図１】
0006515043.tif 000002
【図２】
0006515043.tif 000003
【図３】
0006515043.tif 000004
【図４】
0006515043.tif 000005
【図５】
0006515043.tif 000006
【図６】
0006515043.tif 000007